(57)【特許請求の範囲】
【請求項１】
電磁鋼板を打ち抜いて得た複数のコアシートを径方向に積層して成るアキシャルギャップ型回転電機用ステータコアの製造方法であって、
電磁鋼板に対する打抜き位置を変え得る可動切断部により一対の第一コアシート及び第二コアシートの互いに対向する各内側部を形成する一方、前記電磁鋼板に対する打抜き位置を固定した固定切断部により該第一コアシート及び該第二コアシートの各外側部を形成することによって、前記内側部と前記外側部との間隔を異ならせた複数対の第一コアシート及び第二コアシートを打抜き形成する打抜き工程と、
前記打抜き工程により得られた前記間隔の異なる複数の第一コアシートを打抜き順に積層して、シート面と斜交する第一傾斜側面及び第二傾斜側面を有する複数の第一コアブロックを形成する第一積層工程と、
前記打抜き工程により得られた前記間隔の異なる複数の第二コアシートを打抜き順に積層して、シート面と斜交する第一傾斜側面及び第二傾斜側面を有する複数の第二コアブロックを形成する第二積層工程と、
複数の前記第一コアブロック及び複数の前記第二コアブロックのうちの一つを用いて或いは複数を並べてステータコアを形成するコア形成工程と、
を有し、
前記第一積層工程において、
複数の前記第一コアシートを前記間隔の大小の順に積層することによって、一の第一コアブロックの第一傾斜側面を形成するとともに、該一の第一コアブロックの第二傾斜側面を形成し、
前記第二積層工程において、
前記一の第一コアブロックの第一傾斜側面の全部または一部を形成する前記第一コアシートと対に打抜き形成された前記第二コアシートを積層することによって、一の第二コアブロックの第一傾斜側面を形成するとともに、
前記一の第一コアブロックの第二傾斜側面の全部または一部を形成する前記第一コアシートと対に打抜き形成された前記第二コアシートを積層することによって、他の第二コアブロックの第二傾斜側面を形成する、
ことを特徴としたアキシャルギャップ型回転電機用ステータコアの製造方法。
【請求項２】
前記コア形成工程において、
複数の前記第一コアブロック及び複数の前記第二コアブロックのうちの二つを、それぞれの前記第一傾斜側面を互いに離反させ、且つ、周方向の幅が内周側より外周側で大きくなるように周方向に並べることを特徴とした請求項１に記載のアキシャルギャップ型回転電機用ステータコアの製造方法。
【請求項３】
前記第一積層工程において、
前記第一コアブロックの第一傾斜側面と第二傾斜側面との間に、前記打抜き工程により得られた前記間隔の等しい複数の第一コアシートを積層して成るシート面と直交する垂直側面を形成し、
前記第二積層工程において、
前記第二コアブロックの第一傾斜側面と第二傾斜側面との間に、前記打抜き工程により得られた前記間隔の等しい複数の第二コアシートを積層して成るシート面と直交する垂直側面を形成する、
ことを特徴とした請求項２に記載のアキシャルギャップ型回転電機用ステータコアの製造方法。
【請求項４】
前記コア形成工程において、
複数の前記第一コアブロック及び複数の前記第二コアブロックのうちの二つを、それぞれの前記第一傾斜側面を互いに接近させ、且つ、周方向の幅が内周側より外周側で大きくなるように周方向に並べることを特徴とした請求項１に記載のアキシャルギャップ型回転電機用ステータコアの製造方法。
【請求項５】
前記第一積層工程において、
前記第一コアブロックの第一傾斜側面と第二傾斜側面とを直交させるように前記打抜き工程により得られた複数の第一コアシートを積層し、
前記第二積層工程において、
前記第二コアブロックの第一傾斜側面と第二傾斜側面とを直交させるように前記打抜き工程により得られた複数の第二コアシートを積層する、
ことを特徴とした請求項４に記載のアキシャルギャップ型回転電機用ステータコアの製造方法。
【請求項６】
前記第一積層工程において、
前記第一コアブロックの第一傾斜側面と第二傾斜側面とを鋭角で斜交させるように前記打抜き工程により得られた複数の第一コアシートを積層し、
前記第二積層工程において、
前記第二コアブロックの第一傾斜側面と第二傾斜側面とを鋭角で斜交させるように前記打抜き工程により得られた複数の第二コアシートを積層する、
ことを特徴とした請求項４に記載のアキシャルギャップ型回転電機用ステータコアの製造方法。
【請求項７】
前記コア形成工程において、
複数の前記第一コアブロック及び複数の前記第二コアブロックのうちの二つを、一方の前記第一傾斜側面のみを接近させ、且つ、周方向の幅が内周側より外周側で大きくなるように周方向に並べることを特徴とした請求項１に記載のアキシャルギャップ型回転電機用ステータコアの製造方法。
【請求項８】
前記第一積層工程において、
前記第一コアブロックの積層方向両端に、前記打抜き工程により得られた前記間隔の等しい第一コアシートを積層し、
前記第二積層工程において、
前記第二コアブロックの積層方向両端に、前記打抜き工程により得られた前記間隔の等しい第二コアシートを積層する、
ことを特徴とした請求項１〜請求項７のいずれか一つに記載のアキシャルギャップ型回転電機用ステータコアの製造方法。
【発明の詳細な説明】
【技術分野】
【０００１】
本発明は、アキシャルギャップ型回転電機用ステータコアの製造方法に関する。
【背景技術】
【０００２】
アキシャルギャップ型回転電機は、回転軸を中心として回転可能に配設されたロータと、このロータの回転軸方向にギャップを隔てて配設されたステータとを備える回転電機である。アキシャルギャップ型回転電機は、その構造から薄型化できる点や磁極面積を大きくしてトルク密度を向上できる点で他の構造の回転電機より好ましい。
【０００３】
下記の特許文献１には、アキシャルギャップ型回転電機の積層ステータコアの製造方法として、電磁鋼板から幅の異なる複数枚のコアシートを打抜き形成し、これら複数枚のコアシートを径方向に積層することによって、コア端面（磁極面）が台形形状を成すステータコアを製造する方法が開示されている。コア端面を台形にすることで、複数のステータコアを円形状に配列した際のコア同士の間のスペースを小さくすることができ、回転電機の効率を向上させることができる。
【先行技術文献】
【特許文献】
【０００４】
【特許文献１】特開２００７−２５２０６４号公報
【発明の概要】
【発明が解決しようとする課題】
【０００５】
しかしながら、従来の積層ステータコアの製造方法は、幅の異なる複数のコアシートを打抜き形成するのに、電磁鋼板に対する打抜き位置を異ならせた多数の金型を使用するか、或いは、打抜き位置を変え得る複数の可動金型を使用せざるを得ず、生産性が低下し、製造コストがかかる難点があった。
【０００６】
また、複数の固定金型や可動金型により切断されて廃棄される電磁鋼板の幅が変わるため、電磁鋼板のスクラップが多くなり、歩留りが悪い難点があった。
【０００７】
さらに、製造されたステータコアが台形形状であったため、コアの外周側の角部が鋭角となり、インシュレータを介して巻き付けられる巻線がこの鋭角部分で大きく膨らんで巻線の占積率が低下する難点があった。
【０００８】
本発明は、従来のアキシャルギャップ型回転電機用ステータコアの製造方法に上記のような難点があることに鑑みて為されたもので、生産性を向上でき、低コストに積層ステータコアを製造し得るアキシャルギャップ型回転電機用ステータコアの製造方法を提供することを目的とする。
【０００９】
また、本発明は、巻線の占積率の高い積層ステータコアを歩留り良く製造することができるアキシャルギャップ型回転電機用ステータコアの製造方法を提供することを目的とする。
【課題を解決するための手段】
【００１０】
本発明は、電磁鋼板を打ち抜いて得た複数のコアシートを径方向に積層して成るアキシャルギャップ型回転電機用ステータコアの製造方法であって、
電磁鋼板に対する打抜き位置を変え得る可動切断部により一対の第一コアシート及び第二コアシートの互いに対向する各内側部を形成する一方、前記電磁鋼板に対する打抜き位置を固定した固定切断部により該第一コアシート及び該第二コアシートの各外側部を形成することによって、前記内側部と前記外側部との間隔を異ならせた複数対の第一コアシート及び第二コアシートを打抜き形成する打抜き工程と、前記打抜き工程により得られた前記間隔の異なる複数の第一コアシートを打抜き順に積層して、シート面と斜交する第一傾斜側面及び第二傾斜側面を有する複数の第一コアブロックを形成する第一積層工程と、
前記打抜き工程により得られた前記間隔の異なる複数の第二コアシートを打抜き順に積層して、シート面と斜交する第一傾斜側面及び第二傾斜側面を有する複数の第二コアブロックを形成する第二積層工程と、複数の前記第一コアブロック及び複数の前記第二コアブロックのうちの一つを用いて或いは複数を並べてステータコアを形成するコア形成工程と、を有し、
前記第一積層工程において、複数の前記第一コアシートを前記間隔の大小の順に積層することによって、一の第一コアブロックの第一傾斜側面を形成するとともに、該一の第一コアブロックの第二傾斜側面を形成し、
前記第二積層工程において、前記一の第一コアブロックの第一傾斜側面の全部または一部を形成する前記第一コアシートと対に打抜き形成された前記第二コアシートを積層することによって、一の第二コアブロックの第一傾斜側面を形成するとともに、前記一の第一コアブロックの第二傾斜側面の全部または一部を形成する前記第一コアシートと対に打抜き形成された前記第二コアシートを積層することによって、他の第二コアブロックの第二傾斜側面を形成することを特徴としている。
【００１１】
また、本発明は、前記コア形成工程において、複数の前記第一コアブロック及び複数の前記第二コアブロックのうちの二つを、それぞれの前記第一傾斜側面を互いに離反させ、且つ、周方向の幅が内周側より外周側で大きくなるように周方向に並べることを特徴としている。
【００１２】
また、本発明は、前記第一積層工程において、前記第一コアブロックの第一傾斜側面と第二傾斜側面との間に、前記打抜き工程により得られた前記間隔の等しい複数の第一コアシートを積層して成るシート面と直交する垂直側面を形成し、前記第二積層工程において、前記第二コアブロックの第一傾斜側面と第二傾斜側面との間に、前記打抜き工程により得られた前記間隔の等しい複数の第二コアシートを積層して成るシート面と直交する垂直側面を形成することを特徴としている。
【００１３】
また、本発明は、前記コア形成工程において、複数の前記第一コアブロック及び複数の前記第二コアブロックのうちの二つを、それぞれの前記第一傾斜側面を互いに接近させ、且つ、周方向の幅が内周側より外周側で大きくなるように周方向に並べることを特徴としている。
【００１４】
また、本発明は、前記第一積層工程において、前記第一コアブロックの第一傾斜側面と第二傾斜側面とを直交させるように前記打抜き工程により得られた複数の第一コアシートを積層し、前記第二積層工程において、前記第二コアブロックの第一傾斜側面と第二傾斜側面とを直交させるように前記打抜き工程により得られた複数の第二コアシートを積層することを特徴としている。
【００１５】
また、本発明は、前記第一積層工程において、前記第一コアブロックの第一傾斜側面と第二傾斜側面とを鋭角で斜交させるように前記打抜き工程により得られた複数の第一コアシートを積層し、前記第二積層工程において、前記第二コアブロックの第一傾斜側面と第二傾斜側面とを鋭角で斜交させるように前記打抜き工程により得られた複数の第二コアシートを積層することを特徴としている。
【００１６】
また、本発明は、前記コア形成工程において、複数の前記第一コアブロック及び複数の前記第二コアブロックのうちの二つを、一方の前記第一傾斜側面のみを接近させ、且つ、周方向の幅が内周側よりも外周側で大きくなるように周方向に並べることを特徴としている。
【００１７】
また、本発明は、前記第一積層工程において、前記第一コアブロックの積層方向両端に、前記打抜き工程により得られた前記間隔の等しい第一コアシートを積層し、前記第二積層工程において、前記第二コアブロックの積層方向両端に、前記打抜き工程により得られた前記間隔の等しい第二コアシートを積層することを特徴としている。
【発明の効果】
【００１８】
本発明に係るアキシャルギャップ型回転電機用ステータコアの製造方法によれば、第一コアブロック及び第二コアブロックを形成する、間隔を異ならせた複数の第一コアシートと複数の第二コアシートとを、打抜き位置を変え得る一つの可動切断部と打抜き位置を固定した固定切断部とによって容易に打抜き形成することができる。したがって、従来のように、打抜き位置を異ならせた多数の金型を使用したり、打抜き位置を変え得る複数の可動金型を使用しなくても良く、生産性を向上させることができ、低コストで積層ステータコアを製造することができる。
【００１９】
また、従来では、可動切断部により切断されて廃棄される電磁鋼板の幅が変わるため、電磁鋼板のスクラップが多くなったが、本発明では、可動切断部により切断されて廃棄される電磁鋼板の幅を一定にすることができるため、電磁鋼板のスクラップを大幅に減らすことができ、歩留りを向上させることができる。
【００２０】
しかも、本発明に係る製造方法によれば、一の第一コアブロックの第一傾斜側面を形成する複数の第一コアシートとそれぞれ対を成して打抜き形成された複数の第二コアシートを積層することによって、一の第二コアブロックの第一傾斜側面を形成し、また、該一の第一コアブロックの第二傾斜側面を形成する複数の第一コアシートとそれぞれ対を成して打抜き形成された複数の第二コアシートを積層することによって、他の第二コアブロックの第二傾斜側面を形成するようにしているので、第一コアブロック及び第二コアブロックの第一傾斜側面のみならず、第二傾斜側面についても、一つの可動切断部を往復移動させて形成することができ、このことによっても電磁鋼板のスクラップを減らすことができ、歩留りを向上させることができる。
【００２１】
また、本発明に係る製造方法により製造されたステータコアは、第一傾斜側面、第二傾斜側面を有しているので、従来の台形形状のステータコアのように、コアの外周側の鋭角部分で巻線の膨らみが大きくなって巻線の占積率が低下する難点がない。本発明の製造方法によれば、巻線の占積率の高いステータコアを歩留り良く製造することができる。
【図面の簡単な説明】
【００２２】
【図１】本実施形態のステータコアの製造方法の打抜き工程を説明する概略平面図である。
【図２】本実施形態の製造方法の積層工程を説明する図であって、図１中のＣＳ１−ＣＳ１線の矢視断面図である。
【図３】本実施形態の製造方法の積層工程を説明する斜視図である。
【図４】本実施形態の製造方法のコア形成工程を説明する斜視図である。
【図５】本実施形態の製造方法により製造されたステータコアを用いたステータの分解斜視図である。
【図６】本実施形態の製造方法により製造されたステータコアを用いたアキシャルギャップ型回転電機の概略断面図である。
【図７】本発明に係る第一変形例の打抜き工程を説明する概略平面図である。
【図８】本発明に係る第一変形例の積層工程を説明する図であって、図７中のＣＳ２−ＣＳ２線の矢視断面図である。
【図９】本発明に係る第一変形例の積層工程を説明する斜視図である。
【図１０】本発明に係る第一変形例のコア形成工程を説明する斜視図である。
【図１１】本発明に係る第一変形例により製造されたステータコアを説明する平面図である。
【図１２】本発明に係る第二変形例のコア形成工程を説明する平面図である。
【図１３】本発明に係る第三変形例のステータコアを説明する平面図である。
【図１４】本発明に係る第四変形例のコア形成工程を説明する平面図である。
【図１５】本発明に係る第五変形例のステータコアを説明する平面図である。
【図１６】本発明に係る第五変形例の積層工程を説明する断面図である。
【図１７】本発明に係る第六変形例の打抜き工程を説明する概略平面図である。
【図１８】本発明に係る第六変形例の積層工程を説明する斜視図である。
【図１９】本発明に係る第六変形例のコア形成工程を説明する斜視図である。
【図２０】本発明に係る第七変形例の打抜き工程を説明する概略平面図である。
【図２１】本発明に係る第七変形例の積層工程を説明する斜視図である。
【図２２】本発明に係る第七変形例のコア形成工程を説明する斜視図である。
【図２３】本発明に係る第八変形例の打抜き工程を説明する概略平面図である。
【図２４】本発明に係る第八変形例の積層工程を説明する斜視図である。
【図２５】本発明に係る第八変形例のコア形成工程を説明する斜視図である。
【発明を実施するための形態】
【００２３】
本発明は、アキシャルギャップ型回転電機に用いる積層ステータコアの製造方法に関するものである。図６の概略断面図に示すように、アキシャルギャップ型回転電機１０は、回転軸１（回転軸心Ａ）を中心として回転可能に配設されたロータ２と、このロータ２の回転軸方向の両側に所定のギャップを隔てて配設された第一ステータ３及び第二ステータ４とを備えている。
【００２４】
ロータ２は、回転軸１に固定され、回転軸心Ａを中心に回転可能な非磁性体から成るフレーム２ａと、フレーム２ａの回転軸心Ａの周りに配設され、軸方向端面に磁極面を有する複数の界磁部２ｂと、これら複数の界磁部２ｂをフレーム２ａに固定する押さえ部材２ｃ、２ｄとから構成されている。界磁部２ｂは、第一ステータ３側からみて、軟磁性体コア、永久磁石の順に積層されて成る。軟磁性体コアは、圧粉磁心や径方向に積層された電磁鋼板等、永久磁石より導電率が低い材料により構成され、永久磁石の減磁を防ぎ、永久磁石内部に発生する渦電流を低減するが、必須ではない。また、永久磁石を省き、リラクタンストルクのみで回転するモータとしてもよい。押さえ部材２ｃは、第一ステータ３のステータコア３０との対向を避け、外周と内周に分割されたリング状の非磁性体金属から構成されている。一方、押さえ部材２ｄは、界磁部２ｂの全てを覆う磁性体の鋼板から構成されている。第二ステータ４側はトルクを発生しないため、界磁部２ｂからの磁束の一部を短絡しても問題はないからである。押さえ部材の構成についても、本実施形態は一例であり、任意に選択可能である。
【００２５】
第一ステータ３は、バックヨーク３ａと、支持部材３ｂと、バックヨーク３ａ及び支持部材３ｂに固定された複数のステータコア３０と、各ステータコア３０に不図示のインシュレータを介して巻き付けられた巻線３ｃと、から構成されており、第二ステータ４は、バックヨーク４ａから構成されている。これら第一ステータ３及び第二ステータ４は、不図示のケーシングに固定され、このケーシングを回転軸１が回転可能に貫通している。なお、ケーシングは必須ではない。このアキシャルギャップ型回転電機１０の構成はあくまでも一例であり、第二ステータにもコイルを有していてもよく、ステータが一つでその両側にロータがあってもよい。
【００２６】
以下、図１〜図５を参照しながら、本実施形態のアキシャルギャップ型回転電機用ステータコア３０の製造方法について説明する。
【００２７】
まず、図１に示すように、電磁鋼板Ｓ１に対する打抜き工程を行うことにより複数対の第一コアシート１１及び第二コアシート１２を打抜き形成する。この打抜き工程は、帯状の電磁鋼板Ｓ１を長手方向へ一定距離ずつ間欠的に送りながら（送り方向Ｆ）、上型に配設されたパンチと下型に配設されたダイとから成る複数の切断部によって、所定形状のコアシートを段階的に打抜き形成する順送型プレス機を用いて行う。
【００２８】
即ち、図１（ａ）に示すように、電磁鋼板Ｓ１に対する打抜き位置を変え得る可動切断部Ｐ１を打抜き作動させることによって、互いに対向する第一コアシート１１の内側部１１１及びつば部１１２と、第二コアシート１２の内側部１２１及びつば部１２２とを同時に形成する。次いで、電磁鋼板Ｓ１を一定距離だけ送った後、電磁鋼板Ｓ１に対する打抜き位置を固定した一の固定切断部Ｐ２を打抜き作動させることによって、第一コアシート１１のバックヨーク埋込部１１３及びコア支持部１１４を形成すると同時に、第二コアシート１２のバックヨーク埋込部１２３及びコア支持部１２４を形成する。そして、さらに電磁鋼板Ｓ１を一定距離だけ送った後、電磁鋼板Ｓ１に対する打抜き位置を固定した他の固定切断部Ｐ３を打抜き作動させることによって、第一コアシート１１の外側部１１５、上側部１１６及び下側部１１７を形成すると同時に、第二コアシート１２の外側部１２５、上側部１２６及び下側部１２７を形成する。
【００２９】
こうして電磁鋼板Ｓ１を間欠的に送りながら、打抜き作動毎に可動切断部Ｐ１だけを帯状の電磁鋼板Ｓ１の幅方向へ所定距離ずつ往復移動させることによって、図１（ｂ）に示すように、内側部１１１と外側部１１５との間隔（Ｄ１１・Ｄ１２・Ｄ１３…）が異なる複数の第一コアシート１１・１１…が打抜き形成されるとともに、内側部１２１と外側部１２５との間隔（Ｄ２１・Ｄ２２・Ｄ２３…）が異なる複数の第二コアシート１２・１２…が打抜き形成される。固定切断部Ｐ２、Ｐ３によって打抜き形成されるバックヨーク埋込部（１１３、１２３）及びコア支持部（１１４、１２４）のそれぞれの幅は、複数の第一コアシート１１及び複数の第二コアシート２１において一定となる。
【００３０】
なお、本実施形態では、固定切断部Ｐ２によって、第一コアシート１１のバックヨーク埋込部１１３及びコア支持部１１４を同時に形成し、固定切断部Ｐ３によって、第一コアシート１１の外側部１１５、上側部１１６及び下側部１１７を同時に形成しているが、これらを複数の固定切断部を用いて複数段階に分けて形成することもできる。第二コアシート１２についても同様である。また、可動切断部Ｐ１及び固定切断部Ｐ２、Ｐ３の打抜き順の前後関係も不問である。
【００３１】
次に、図２及び図３に示すように、積層工程を行うことによって、上記打抜き工程により得られた複数の第一コアシート１１・１１…を打抜き順に積層して第一コアブロック２１を形成するとともに、複数の第二コアシート１２・１２…を打抜き順に積層して第二コアブロック２２を形成する。一対の第一コアシート１１及び第二コアシート１２を打ち抜くたびに、金型内部で積層して第一コアブロック２１及び第二コアブロック２２を形成する。
【００３２】
即ち、図２（ａ）に示すように、第一積層工程として、複数の第一コアシート１１を、各外側部１１５を揃えながら打抜き順に上記間隔（Ｄ１１・Ｄ１２・Ｄ１３…）の大小の順に積層することによって、シート面Ｌに対しそれぞれ所定角度で斜交する第一傾斜側面２１１及び第二傾斜側面２１２と、シート面Ｌに対し直交する垂直側面２１３とを内側部１１１側に有する第一コアブロック２１を形成する。また同様に、第二積層工程として、複数の第二コアシート１２を、各外側部１２５を揃えながら打抜き順に上記間隔（Ｄ２１・Ｄ２２・Ｄ２３…）の大小の順に積層することによって、シート面Ｌに対しそれぞれ所定角度で斜交する第一傾斜側面２２１及び第二傾斜側面２２２と、シート面Ｌに対し直交する垂直側面２２３とを内側部１２１側に有する第二コアブロック２２を形成する。
【００３３】
図３（ａ）に示すように、この積層工程により得られる第一コアブロック２１の第一傾斜側面２１１及び第二傾斜側面２１２がそれぞれシート面Ｌと斜交する角度は、上記打抜き工程において可動切断部Ｐ１を打抜き作動毎に電磁鋼板Ｓ１の幅方向へ移動させる距離を変更することにより適宜設定することができる。また、第一コアブロック２１の垂直側面２１３は、可動切断部Ｐ１を所定の打抜き回数だけ移動させずに打抜き形成された前記間隔の等しい複数の第一コアシート１１を積層することによって形成することができる。第二コアブロック２２においても同様である。なお、図３（ａ）では、第一傾斜側面２１１を平面として描いているが、実際は、電磁鋼板の板厚毎の階段状になっている。不図示の第二傾斜側面２１２においても同様である。
【００３４】
また、これら積層工程においては、図２（ａ）に示すように、一の第一コアブロック２１Ａの第一傾斜側面２１１を形成する複数の第一コアシート１１Ａとそれぞれ対を成して打抜き形成された複数の第二コアシート１２Ａを積層することによって、一の第二コアブロック２２Ａの第一傾斜側面２２１を形成し、また、この一の第一コアブロック２１Ａの第二傾斜側面２１２を形成する複数の第一コアシート１１Ａとそれぞれ対を成して打抜き形成された複数の第二コアシート１２Ｂを積層することによって、他の第二コアブロック２２Ｂの第二傾斜側面２２２を形成している。このことで、複数の第一コアブロック２１（２１Ａ）及び複数の第二コアブロック２２（２２Ａ、２２Ｂ）を連続的に形成する際に、複数の切断部Ｐ１〜Ｐ３により切断されて廃棄される電磁鋼板の幅を一定にすることができ、電磁鋼板のスクラップを大幅に減らすことができる。こうして得られた第一コアブロック２１と第二コアブロック２２とは同一形状となる。
【００３５】
なお、図２中の点線に示すように、第一コアブロック２１の垂直側面２１３を形成する複数の第一コアシート１１とそれぞれ対を成して打抜き形成された複数の第二コアシート１２Ｃは、第二コアブロック２２の形成には使用されない。また同様に、第二コアブロック２２の垂直側面２２３を形成する複数の第二コアシート１２とそれぞれ対を成して打抜き形成された複数の第一コアシート１１Ｃは、第一コアブロック２１の形成には使用されない。
【００３６】
また、本実施形態では、図２（ｂ）に示すように、打抜き工程において可動切断部Ｐ１の往復移動の移動パターンを、図２（ａ）の移動パターンと左右対称にすることによって、複数対の第一コアシート１１´及び第二コアシート１２´を打抜き形成し、そして、複数の第一コアシート１１´を打抜き順に積層して複数の第一コアブロック２１´を形成するとともに、複数の第二コアシート１２´を打抜き順に積層して複数の第二コアブロック２２´を形成している（図３（ｂ）参照）。
【００３７】
この場合においても、図２（ｂ）に示すように、一の第一コアブロック２１Ａ´の第二傾斜側面２１２を形成する複数の第一コアシート１１Ａ´とそれぞれ対を成して打抜き形成された複数の第二コアシート１２Ａ´を積層することによって、一の第二コアブロック２２Ａ´の第二傾斜側面２２２を形成し、また、この一の第一コアブロック２１Ａ´の第一傾斜側面２１１を形成する複数の第一コアシート１１Ａ´とそれぞれ対を成して打抜き形成された複数の第二コアシート１２Ｂ´を積層することによって、他の第二コアブロック２２Ｂ´の第一傾斜側面２２１を形成している。したがって、複数の第一コアブロック２１´（２１Ａ´）及び複数の第二コアブロック２２´（２２Ａ´、２２Ｂ´）を連続形成する際にも、電磁鋼板のスクラップを大幅に減らすことができる。こうして得られた第一コアブロック２１´と第二コアブロック２２´とについても同一形状となる。
【００３８】
図３に示すように、これら積層工程によって得られた第一コアブロック２１（２１´）には、第一コアシート１１（１１´）のつば部１１２が複数積層されてつば状突起２１４が形成され、バックヨーク埋込部１１３が複数積層されてバックヨーク埋込突起２１５が形成され、コア支持部１１４が複数積層されてコア支持突起２１６が形成される。また同様に、第二コアブロック２２（２２´）には、第二コアシート１２（１２´）のつば部１２２が複数積層されてつば状突起２２４が形成され、バックヨーク埋込部１２３が複数積層されてバックヨーク埋込突起２２５が形成され、コア支持部１２４が複数積層されてコア支持突起２２６が形成される。
【００３９】
これら積層工程において、複数のコアシートの固定は、例えば、プレスカシメ、ワニス含浸、レーザ溶接、樹脂モールド、或いはこれらを併用して行うことができる。
【００４０】
次に、図４に示すように、コア形成工程を行うことによって、上記積層工程により得られた第一コアブロック２１と第二コアブロック２２´とを、両者の第一傾斜側面２１１、２２１を互いに離反させ、且つ、周方向の幅Ｗが内周側（Ｗ１）よりも外周側（Ｗ２）で大きくなるように組み合わせて周方向に並べる。第一コアブロック２１と第二コアブロック２２´との固定は、例えば、レーザ溶接、接着剤、樹脂モールド、或いはこれらを併用して行うことができる。また、互いに組み合う複数の分割式インシュレータを嵌合してブロック同士を固定しても良い。さらに、樹脂モールドにより、第一コアブロック２１と第二コアブロック２２´との固定と同時にインシュレータを兼ねるようにしても良い。
【００４１】
こうして本実施形態のステータコア３０を製造することができる。なお、第一コアブロック２１の代わりに第二コアブロック２２を選択することもできる。また、第二コアブロック２２´の代わりに第一コアブロック２１´を選択することもできる。
【００４２】
その後、ステータコア３０の第一傾斜側面（２１１、２２１）、垂直側面（２１３、２２３）、第二傾斜側面（２１２、２２２）、バックヨーク埋込突起（２１５、２２５）のエアギャップ側の面、及びつば状突起（２１４、２２４）の反エアギャップ側の面に亘って、不図示のインシュレータを介して巻線が巻き付けられる。ステータコア３０は、コア内周側においてシート面Ｌと鈍角を成して斜交する第一傾斜側面（２１１、２２１）が形成されているとともに、コア外周側においてシート面Ｌと鈍角を成して斜交する第二傾斜側面（２１２、２２２）が形成されており、さらに、これら第一傾斜側面と第二傾斜側面との間に両者と鈍角を成して斜交する垂直側面（２１３、２２３）が形成されているので、インシュレータを介して巻き付けられる巻線の膨らみを小さくして巻線の占積率を高めることができる。また、ステータコア３０を構成する電磁鋼板（第一コアシート及び第二コアシート）が周方向に二分割されているので、積層方向に流れる磁束に対する渦電流損を低減することが可能となる。
【００４３】
こうして製造されたステータコア３０を複数準備し、図５に示すように、各ステータコア３０のコア支持突起（２１６、２２６）を第一ステータ３の支持部材３ｂに形成された支持孔３ｄに挿嵌し固定するとともに、バックヨーク埋込突起（２１５、２２５）を、バックヨーク３ａに形成された埋込凹部３ｅに嵌合することによって、アキシャルギャップ型回転電機用のステータ３が構成される。
【００４４】
各ステータコア３０の上部には、つば状突起（２１４、２２４）が形成されているので、コア端面の磁極面積を大きくすることができる。また、各ステータコア３０の下部にはバックヨーク埋込突起（２１５、２２５）が形成されているので、各ステータコア３０とバックヨーク３ａとの境界部Ｂを、磁束密度が比較的に高いコーナー部Ｃを避けて位置させることができ、磁気抵抗を低減して回転電機の効率を向上させることができる。また、バックヨーク埋込突起（２１５、２２５）の下方にコア支持突起（２１６、２２６）が形成されているので、支持部材３ｂとの固定を確実に行うことができる。
【００４５】
このように本実施形態のアキシャルギャップ型回転電機用ステータコアの製造方法によれば、ステータコアを第一コアブロックと第二コアブロックとを組み合わせて構成するようにしているので、これら第一コアブロック及び第二コアブロックを形成する、間隔を異ならせた複数の第一コアシートと複数の第二コアシートとを、打抜き位置を変え得る一つの可動切断部と打抜き位置を固定した固定切断部とによって容易に打抜き形成することができる。したがって、従来のように、打抜き位置を異ならせた多数の金型を使用したり、打抜き位置を変え得る複数の可動金型を使用しなくても良く、生産性を向上させることができ、低コストで積層ステータコアを製造することができる。
【００４６】
また、従来では、可動切断部により切断されて廃棄される電磁鋼板の幅が変わるため、電磁鋼板のスクラップが多くなったが、本実施形態では、可動切断部により切断されて廃棄される電磁鋼板の幅を一定にすることができるため、電磁鋼板のスクラップを大幅に減らすことができ、歩留りを向上させることができる。
【００４７】
しかも、本実施形態の製造方法によれば、一の第一コアブロックの第一傾斜側面を形成する複数の第一コアシートとそれぞれ対を成して打抜き形成された複数の第二コアシートを積層することによって、一の第二コアブロックの第一傾斜側面を形成し、また、該一の第一コアブロックの第二傾斜側面を形成する複数の第一コアシートとそれぞれ対を成して打抜き形成された複数の第二コアシートを積層することによって、他の第二コアブロックの第二傾斜側面を形成するようにしているので、第一コアブロック及び第二コアブロックの第一傾斜側面のみならず、第二傾斜側面についても、一つの可動切断部を往復移動させて形成することができ、このことによっても電磁鋼板のスクラップを減らすことができ、歩留りを向上させることができる。
【００４８】
また、本実施形態の製造方法により製造されたステータコアは、第一傾斜側面、第二傾斜側面、及び垂直側面を有しているので、従来の台形形状のステータコアのように、コアの外周側の鋭角部分で巻線の膨らみが大きくなって巻線の占積率が低下する難点がない。即ち、本実施形態の製造方法によれば、巻線の占積率の高い積層ステータコアを歩留り良く製造することができる。なお、上記第一コアシート及び第二コアシートをそれぞれ複数列、一の電磁鋼板から同時に打抜き形成してもよい。
【００４９】
以上、本実施形態のアキシャルギャップ型回転電機用ステータコアの製造方法について説明したが、本発明はその他の変形例でも実施することができる。
【００５０】
「第一変形例」
例えば、図７〜図１１に示す第一変形例のように実施してもよい。即ち、図７（ａ）に示すように、打抜き工程において、電磁鋼板Ｓ２に対する打抜き位置を変え得る可動切断部Ｐ４を打抜き作動させることによって、互いに対向する第一コアシート１３の内側部１３１と第二コアシート１４の内側部１４１とを同時に形成し、そして、電磁鋼板Ｓ２を一定距離だけ送った後、電磁鋼板Ｓ２に対する打抜き位置を固定した固定切断部Ｐ５を打抜き作動させることによって、第一コアシート１３の外側部１３２、上側部１３３及び下側部１３４を形成すると同時に、第二コアシート１４の外側部１４２、上側部１４３及び下側部１４４を形成する。
【００５１】
こうして、図７（ｂ）に示すように、内側部１３１と外側部１３２との間隔（Ｄ１４・Ｄ１５・Ｄ１６…）が異なる複数の矩形の第一コアシート１３・１３…が打抜き形成されるとともに、内側部１４１と外側部１４２との間隔（Ｄ２４・Ｄ２５・Ｄ２６…）が異なる複数の矩形の第二コアシート１４・１４…が打抜き形成される。
【００５２】
次に、図８及び図９に示すように、第一積層工程において、複数の第一コアシート１３を、各外側部１３２を揃えながら打抜き順に上記間隔（Ｄ１４・Ｄ１５・Ｄ１６…）の大小の順に積層することによって、シート面Ｌに対しそれぞれ所定角度で斜交する第一傾斜側面２３１及び第二傾斜側面２３２を内側部１３１側に有する第一コアブロック２３を形成し、また同様に、第二積層工程において、複数の第二コアシート１４を、各外側部１４２を揃えながら打抜き順に上記間隔（Ｄ２４・Ｄ２５・Ｄ２６…）の大小の順に積層することによって、シート面Ｌに対しそれぞれ所定角度で斜交する第一傾斜側面２４１及び第二傾斜側面２４２を内側部１４１側に有する第二コアブロック２４を形成する。
【００５３】
これら積層工程においても、図８に示すように、一の第一コアブロック２３Ａの第一傾斜側面２３１を形成する複数の第一コアシート１３Ａとそれぞれ対を成して打抜き形成された複数の第二コアシート１４Ａを積層することによって、一の第二コアブロック２４Ａの第一傾斜側面２４１を形成し、また、この一の第一コアブロック２３Ａの第二傾斜側面２３２を形成する複数の第一コアシート１３Ａとそれぞれ対を成して打抜き形成された複数の第二コアシート１４Ｂを積層することによって、他の第二コアブロック２４Ｂの第二傾斜側面２４２を形成する。
【００５４】
この変形例では、図９に示すように、第一傾斜側面（２３１、２４１）と第二傾斜側面（２３２、２４２）との間に、シート面Ｌと直交する垂直側面を形成していない。そしてまた、第一コアブロック２３及び第二コアブロック２４においてシート積層方向の両端にそれぞれ、間隔（Ｄ１７、Ｄ２７）の等しい第一コアシート１３Ｄ及び第二コアシート１４Ｄを積層している。このことで、電磁鋼板のスクラップを更に減らすことが可能となる。即ち、上記実施形態では、図２中の点線に示すように、第一コアブロック２１の垂直側面２１３を形成する複数の第一コアシート１１とそれぞれ対を成して打抜き形成された複数の第二コアシート１２Ｃは、第二コアブロック２２の形成に使用されないのに対し、この変形例では、図８に示すように、全ての第一コアシート１３及び第二コアシート１４を第一コアブロック２３及び第二コアブロック２４の形成に使用することができる。
【００５５】
また、この変形例では、図９に示すように、第一傾斜側面（２３１、２４１）と第二傾斜側面（２３２、２４２）とを直交させている。上記実施形態と同様、これら第一傾斜側面及び第二傾斜側面がそれぞれシート面Ｌと斜交する角度は、打抜き工程において可動切断部Ｐ４を打抜き作動毎に電磁鋼板Ｓ２の幅方向へ往復移動させる距離を変更することにより設定することができる。
【００５６】
次に、図１０及び図１１に示すように、コア形成工程において、第一コアブロック２３と第二コアブロック２４とを、両者の第一傾斜側面２３１、２４１を互いに離反させ、且つ、周方向の幅Ｗが内周側（Ｗ３）よりも外周側（Ｗ４）で大きくなるように組み合わせて周方向に並べる。こうして、ステータコア３１を製造する。
【００５７】
この変形例では、第一コアシート１３及び第二コアシート１４を上下対称の矩形に形成しているので、第一コアブロック２３及び第二コアブロック２４のいずれか一方を上下反転させれば、同一形状の第一コアブロック２３と第二コアブロック２４とからステータコア３１を製造することができる。したがって、図８に示すように、打抜き工程において、可動切断部Ｐ４の移動パターンを一つで済ませることができる。
【００５８】
このステータコア３１においても、コア内周側にシート面Ｌと鈍角を成す第一傾斜側面（２３１、２４１）が形成されているだけでなく、コア外周側にシート面Ｌと鈍角を成す第二傾斜側面（２３２、２４２）が形成されているので、従来の台形形状のステータコアのように、コア外周側の鋭角部分で巻線の膨らみが大きくなって巻線の占積率が低下する難点がない。なお、この変形例において、第一傾斜側面（２３１、２４１）と第二傾斜側面（２３２、２４２）との角度は直角に限らない。巻線の膨らみ防止からは、直角か、鈍角が望ましい。
【００５９】
「第二変形例」
本発明は、図１２に示す第二変形例のように実施してもよい。第二変形例は、コア形成工程における第一コアブロックと第二コアブロックとの並べ方に特徴がある。
【００６０】
即ち、コア形成工程において、第一コアブロック２３と第二コアブロック２４とを、両者の第一傾斜側面２３１、２４１を互いに接触させ、且つ、周方向の幅Ｗが内周側（Ｗ５）よりも外周側（Ｗ６）で大きくなるように組み合わせて並べることによって、ステータコア３２を製造している。
【００６１】
この場合、ステータコア３２の外側面（２３４、２４４）は、シート面Ｌと直角を成しているので、従来の台形形状のステータコアのように、コア外周側の鋭角部分で巻線の膨らみが大きくなって巻線の占積率が低下する難点がない。また、これら外側面（２３４、２４４）は、電磁鋼板の板厚毎の段差がないので、各電磁鋼板の厚み方向において磁束密度の粗密がなく、鉄損を低減することができる。
【００６２】
しかも、ステータコア３２の第一コアブロック２３及び第二コアブロック２４は、第一傾斜側面（２３１、２４１）と第二傾斜側面（２３２、２４２）とが直交しているので、隣接する第二傾斜側面２３２、２４２同士が一つの連続平面を形成する。したがって、コア外周側において、回転電機のケーシング等の内壁面ＩＷとの間隔ＳＰをより大きくすることができ、より多くの巻線を巻くことが可能となる。
【００６３】
「第三変形例」
本発明は、図１３に示す第三変形例のように実施してもよい。つまり、ステータコア３２´の第一コアブロック２３´及び第二コアブロック２４´において第一傾斜側面（２３１、２４１）と第二傾斜側面（２３２´、２４２´）とを鋭角で斜交させてもよい。この場合、コア横断面において、第一傾斜側面（２３１、２４１）と第二傾斜側面（２３２´、２４２´）との交点ＣＰ１を、最外周側のシート面Ｌ１と第二傾斜側面（２３２´、２４２´）との交点ＣＰ２・ＣＰ２においてシート面Ｌ１に内接する仮想円弧ＣＡ上に位置させれば、巻線をより隙間なく巻くことができる。
【００６４】
「第四変形例」
本発明は、図１４に示す第四変形例のように実施してもよい。第四変形例は、コア形成工程における第一コアブロックと第二コアブロックとの並べ方に特徴がある。
【００６５】
即ち、コア形成工程において、第一コアブロック２３と第二コアブロック２４とを、一方の第一コアブロック２３の第一傾斜側面２３１のみを他方の第二コアブロック２４に接触させ、且つ、円周方向の幅Ｗが内周側（Ｗ７）よりも外周側（Ｗ８）で大きくなるように組み合わせて並べることによって、ステータコア３３を製造している。この場合、図１４に示すように、ロータの回転方向Ｒの回転後進側に、第一コアブロック２３の外側面２３４を位置させるようにステータコア３３を配設すれば、磁束密度が比較的に高くなるロータ対向面の外側面２３４側においてシート面Ｌをロータの回転方向に沿わせることができ、外側面２３４側における磁束の流れを各シート面Ｌに沿わせることができるため、磁気抵抗を小さくすることができる。
【００６６】
「第五変形例」
本発明は、図１５に示す第五変形例のように実施してもよい。第五変形例は、ステータコア３４の第一コアブロック２５及び第二コアブロック２６において、シート積層方向の両端に、間隔の異なる第一コアシート１５及び第二コアシート１６を積層した点に特徴がある。この変形例では、第一コアブロック２５の第一コアシート１５の間隔Ｄを、積層方向のコア最外周側（Ｄ１７）よりもコア最内周側（Ｄ１８）で大きくするとともに、第二コアブロック２６の第二コアシート１６の間隔Ｄを、積層方向のコア最外周側（Ｄ２７）よりもコア最内周側（Ｄ２８）で大きくしている。
【００６７】
この場合、積層工程においては、図１６に示すように、第一コアブロック２５Ａの第一傾斜側面２５１の一部（コア内周側）を形成する複数の第一コアシート１５Ａとそれぞれ対を成して打抜き形成された複数の第二コアシート１６Ａを積層することによって、一の第二コアブロック２６Ａの第一傾斜側面２６１の一部（コア内周側）が形成されることになる。したがって、図１６中の点線に示すように、一の第一コアブロック２５Ａの第一傾斜側面２５１の他の部分（コア外周側）を形成する複数の第一コアシート１５Ａとそれぞれ対を成して打抜き形成された複数の第二コアシート１６Ｃについては、一の第二コアブロック２６Ａの形成には使用されず、その分歩留りが低下する。なお、第一コアシート１５及び第二コアシート１６の間隔Ｄを、コア最外周側よりもコア最内周側で小さくしてもよい。
【００６８】
「第六変形例」
本発明は、図１７〜図１９に示す第六変形例のように実施してもよい。第六変形例は、打抜き工程において、つば部（５１２、５２２）を点対称に打抜き形成した点に特徴がある。
【００６９】
即ち、図１７（ａ）に示すように、打抜き工程において、電磁鋼板Ｓ３に対する打抜き位置を変え得る可動切断部Ｐ６を打抜き作動させることによって、第一コアシート５１及び第二コアシート５２の内側部（５１１、５２１）を互いに対向させて形成するとともに、つば部（５１２、５２２）を点対称（中心点Ｎ１）に形成している。
【００７０】
そして、電磁鋼板Ｓ３を一定距離だけ送った後、電磁鋼板Ｓ３に対する打抜き位置を固定した固定切断部Ｐ７を打抜き作動させることによって、第一コアシート５１の外側部５１３、上側部５１４及び下側部５１５を形成すると同時に、第二コアシート５２の外側部５２３、上側部５２４及び下側部５２５を形成する。こうして、図１７（ｂ）に示すように、内側部５１１と外側部５１３との間隔（Ｄ５１・Ｄ５２・Ｄ５３…）が異なる複数の鉤形の第一コアシート５１・５１…が打抜き形成されるとともに、内側部５２１と外側部５２３との間隔（Ｄ６１・Ｄ６２・Ｄ６３…）が異なる複数の鉤形の第二コアシート５２・５２…が打抜き形成される。
【００７１】
次に、上記第一変形例（図８参照）と同様の積層工程を行うことによって、複数の第一コアシート５１・５１…を各外側部５１３を揃えながら打抜き順に積層して第一コアブロック６１を形成するとともに、複数の第二コアシート５２・５２…を各外側部５２３を揃えながら打抜き順に積層して第二コアブロック６２を形成する。図１８に示すように、得られた第一コアブロック６１には、シート面Ｌに対しそれぞれ所定角度で斜交する第一傾斜側面６１１及び第二傾斜側面６１２が形成されるとともに、第一コアシート５１のつば部５１２が複数積層されてつば状突起６１３が形成される。また同様に、第二コアブロック６２には、シート面Ｌに対しそれぞれ所定角度で斜交する第一傾斜側面６２１及び第二傾斜側面６２２が形成されるとともに、第二コアシート５２のつば部５２２が複数積層されてつば状突起６２３が形成される。
【００７２】
そして、図１９に示すように、コア形成工程において、第一コアブロック６１と第二コアブロック６２とを、両者の第一傾斜側面６１１、６２１を互いに離反させ、且つ、周方向の幅Ｗが内周側（Ｗ９）よりも外周側（Ｗ１０）で大きくなるように組み合わせて並べる。こうして、ステータコア３５を製造する。
【００７３】
この変形例では、図１７に示すように、第一コアシート５１及び第二コアシート５２のつば部（５１２、５２２）を、上記実施形態のように対向位置ではなく、点対称位置に形成しているので、可動切断部Ｐ６によって切断されて廃棄される電磁鋼板の面積をより小さくすることができる。したがって、例えばコア端面（磁極面）につば状突起を備えたステータコアを歩留り良く製造することが可能となる。また、つば部（５１２、５２２）を点対称に形成しているので、図１９に示すように、コア形成工程において、一方の第二コアブロック６２を上下反転させれば、ステータコア３５を製造することができ、打抜き工程において可動切断部Ｐ６の移動パターンを一つで済ませることができる。
【００７４】
「第七変形例」
本発明は、図２０〜図２２に示す第七変形例のように実施してもよい。第七変形例は、打抜き工程において、つば部（５３２、５４２）及びコア支持部（５３３、５４３）を点対称に打抜き形成した点に特徴がある。
【００７５】
即ち、図２０（ａ）に示すように、打抜き工程において、電磁鋼板Ｓ４に対する打抜き位置を変え得る可動切断部Ｐ８を打抜き作動させることによって、第一コアシート５３及び第二コアシート５４の内側部（５３１、５４１）を互いに対向させて形成するとともに、つば部（５３２、５４２）を点対称（中心点Ｎ２）に形成し、さらに、コア支持部（５３３、５４３）をつば部（５４２、５３２）に対向させて点対称（中心点Ｎ２）に形成している。
【００７６】
そして、電磁鋼板Ｓ４を一定距離だけ送った後、電磁鋼板Ｓ４に対する打抜き位置を固定した固定切断部Ｐ９を打抜き作動させることによって、第一コアシート５３の外側部５３４、上側部５３５及び下側部５３６を形成すると同時に、第二コアシート５４の外側部５４４、上側部５４５及び下側部５４６を形成する。こうして、図２０（ｂ）に示すように、内側部５３１と外側部５３４との間隔（Ｄ５４・Ｄ５５・Ｄ５６…）が異なる複数の第一コアシート５３・５３…が打抜き形成されるとともに、内側部５４１と外側部５４４との間隔（Ｄ６４・Ｄ６５・Ｄ６６…）が異なる複数の第二コアシート５４・５４…が打抜き形成される。
【００７７】
次に、上記変形例（図８参照）と同様の積層工程を行うことによって、複数の第一コアシート５３・５３…を各外側部５３４を揃えながら打抜き順に積層して第一コアブロック６３を形成するとともに、複数の第二コアシート５４・５４…を各外側部５４４を揃えながら打抜き順に積層して第二コアブロック６４を形成する。図２１に示すように、得られた第一コアブロック６３には、シート面Ｌに対しそれぞれ所定角度で斜交する第一傾斜側面６３１及び第二傾斜側面６３２が形成されるとともに、第一コアシート５３のつば部５３２が複数積層されてつば状突起６３３が形成され、コア支持部５３３が複数積層されてコア支持突起６３４が形成される。また同様に、第二コアブロック６４には、シート面Ｌに対しそれぞれ所定角度で斜交する第一傾斜側面６４１及び第二傾斜側面６４２が形成されるとともに、第二コアシート５４のつば部５４２が複数積層されてつば状突起６４３が形成され、コア支持部５４３が複数積層されてコア支持突起６４４が形成される。
【００７８】
そして、図２２に示すように、コア形成工程において、第一コアブロック６３と第二コアブロック６４とを、両者の第一傾斜側面６３１、６４１を互いに離反させ、且つ、周方向の幅Ｗが内周側（Ｗ１１）よりも外周側（Ｗ１２）で大きくなるように組み合わせて並べる。こうして、ステータコア３６を製造する。
【００７９】
この変形例では、図２０に示すように、第一コアシート５３及び第二コアシート５４のつば部（５３２、５４２）を点対称位置に形成し、しかも、内側部（５３１、５４１）よりも外側部へ後退したコア支持部（５４３、５３３）を、つば部（５３２、５４２）に対向させて形成しているので、内側部（５３１、５４１）同士の間隔をより小さくすることができ、可動切断部Ｐ８によって切断されて廃棄される電磁鋼板の面積をより小さくすることができる。したがって、例えばコア端面（磁極面）につば状突起を備え、反対側にコア支持突起やバックヨーク埋込突起を備えたステータコアを歩留り良く製造することができる。また、つば部（５３２、５４２）及びコア支持部（５４３、５３３）を点対称に形成しているので、図２２に示すように、コア形成工程において、一方の第二コアブロック６４を上下反転させれば、ステータコア３６を製造することができ、打抜き工程において可動切断部Ｐ８の移動パターンを一つで済ませることができる。
【００８０】
「第八変形例」
本発明は、図２３〜図２５に示す第八変形例のように実施してもよい。第八変形例は、打抜き工程において、つば部（５５５、５６５）を外側部（５５２、５６２）側に形成した点に特徴がある。
【００８１】
即ち、図２３（ａ）に示すように、打抜き工程において、電磁鋼板Ｓ５に対する打抜き位置を変え得る可動切断部Ｐ１０を打抜き作動させることによって、第一コアシート５５及び第二コアシート５６の互いに対向する内側部（５５１、５６１）を形成し、次いで、電磁鋼板Ｓ５を一定距離だけ送った後、電磁鋼板Ｓ５に対する打抜き位置を固定した固定切断部Ｐ１１を打抜き作動させることによって、第一コアシート５５及び第二コアシート５６における外側部（５５２、５６２）、上側部（５５３、５６３）及び下側部（５５４、５６４）を形成するとともに、つば部（５５５、５６５）を点対称（中心点Ｎ３）に形成している。
【００８２】
こうして、図２３（ｂ）に示すように、内側部５５１と外側部５５２との間隔（Ｄ５７・Ｄ５８・Ｄ５９…）が異なる複数の第一コアシート５５・５５…が打抜き形成されるとともに、内側部５６１と外側部５６２との間隔（Ｄ６７・Ｄ６８・Ｄ６９…）が異なる複数の第二コアシート５６・５６…が打抜き形成される。
【００８３】
次に、上記変形例（図８参照）と同様の積層工程を行うことによって、複数の第一コアシート５５・５５…を各外側部５５２を揃えながら打抜き順に積層して第一コアブロック６５を形成するとともに、複数の第二コアシート５６・５６…を各外側部５６２を揃えながら打抜き順に積層して第二コアブロック６６を形成する。図２４に示すように、得られた第一コアブロック６５には、シート面Ｌに対しそれぞれ所定角度で斜交する第一傾斜側面６５１及び第二傾斜側面６５２が形成されるとともに、第一コアシート５５のつば部５５５が複数積層されてつば状突起６５３が形成される。また同様に、第二コアブロック６６には、シート面Ｌに対しそれぞれ所定角度で斜交する第一傾斜側面６６１及び第二傾斜側面６６２が形成されるとともに、第二コアシート５６のつば部５６５が複数積層されてつば状突起６６３が形成される。
【００８４】
そして、図２５に示すように、コア形成工程において、第一コアブロック６５と第二コアブロック６６とを、両者の第一傾斜側面６５１、６６１を互いに接触させ、且つ、周方向の幅Ｗが内周側（Ｗ１３）よりも外周側（Ｗ１４）で大きくなるように組み合わせて並べる。こうして、ステータコア３７を製造する。
【００８５】
このように、固定切断部Ｐ１１によってつば部（５５５、５６５）を第一コアシート５５及び第二コアシート５６の外側部（５５２、５６２）側に形成することによっても、ステータコア３７のつば状突起（６５３、６６３）を形成することが可能である。また、この変形例では、固定切断部Ｐ１１によって、つば部（５５５、５６５）を点対称に形成しているので、図２５に示すように、コア形成工程において、一方の第二コアブロック６６を上下反転させれば、ステータコア３７を製造することができ、打抜き工程において可動切断部Ｐ１０の移動パターンを一つで済ませることができる。
【００８６】
また、本発明はその趣旨を逸脱しない範囲内で、当業者の知識に基づいて種々の改良、修正、変形を加えた態様で実施し得る。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【００８７】
例えば、上記実施形態では、複数の第一コアブロック及び複数の第二コアブロックのうちから選択した二つを周方向に並べてステータコアを製造しているが、一つのコアブロックを用いてステータコアを製造してもよい。また、上記実施形態では、二つのコアブロックを互いに接触させて並べているが、二つのコアブロックの間に、例えば径方向にコアシートを積層した直方体形状の他のコアブロックを介在させてもよい。
【００８８】
また、上記実施形態では、つば状突起をステータコアのロータ対向部に形成して磁極面積の拡大を図っているが、つば状突起をステータコアのバックヨーク側に形成することによってバックヨークとの抜け止めとしてもよい。また、例えば回転電機が、ステータコアの両側にロータを備える形式であれば、ステータコアの両側につば状突起を形成することも可能である。
【符号の説明】
【００８９】
１０：アキシャルギャップ型回転電機
１：回転軸
２：ロータ
３、４：ステータ
３０、３１、３２、３２´、３３、３４、３５、３６、３７：ステータコア
Ｓ１、Ｓ２、Ｓ３、Ｓ４、Ｓ５：電磁鋼板
Ｐ１、Ｐ４、Ｐ６、Ｐ８、Ｐ１０：可動切断部
Ｐ２、Ｐ３、Ｐ５、Ｐ７、Ｐ９、Ｐ１１：固定切断部
１１、１３、１５、５１、５３、５５：第一コアシート
１１１、１３１、５１１、５３１、５５１：内側部
１１５、１３２、５１３、５３４、５５２：外側部
Ｄ１１〜Ｄ１８、Ｄ５１〜Ｄ５９：第一コアシートの内側部と外側部との間隔
１２、１４、１６、５２、５４、５６：第二コアシート
１２１、１４１、５２１、５４１、５６１：内側部
１２５、１４２、５２３、５４４、５６２：外側部
Ｄ２１〜Ｄ２８、Ｄ６１〜Ｄ６９：第二コアシートの内側部と外側部との間隔
２１、２３、２３´、２５、６１、６３、６５：第一コアブロック
２１１、２３１、２５１、６１１、６３１、６５１：第一傾斜側面
２１２、２３２、２５２、６１２、６３２、６５２：第二傾斜側面
２１３：垂直側面
２２、２４、２４´、２６、６２、６４、６６：第二コアブロック
２２１、２４１、２６１、６２１、６４１、６６１：第一傾斜側面
２２２、２４２、２６２、６２２、６４２、６６２：第二傾斜側面
２２３：垂直側面
Ｌ：シート面
【図１】
0005403260.tif 000002
【図２】
0005403260.tif 000003
【図３】
0005403260.tif 000004
【図４】
0005403260.tif 000005
【図５】
0005403260.tif 000006
【図６】
0005403260.tif 000007
【図７】
0005403260.tif 000008
【図８】
0005403260.tif 000009
【図９】
0005403260.tif 000010
【図１０】
0005403260.tif 000011
【図１１】
0005403260.tif 000012
【図１２】
0005403260.tif 000013
【図１３】
0005403260.tif 000014
【図１４】
0005403260.tif 000015
【図１５】
0005403260.tif 000016
【図１６】
0005403260.tif 000017
【図１７】
0005403260.tif 000018
【図１８】
0005403260.tif 000019
【図１９】
0005403260.tif 000020
【図２０】
0005403260.tif 000021
【図２１】
0005403260.tif 000022
【図２２】
0005403260.tif 000023
【図２３】
0005403260.tif 000024
【図２４】
0005403260.tif 000025
【図２５】
0005403260.tif 000026